(57)【要約】  本発明は、靴の靴紐を固定締め付けするためのクロージャーであって、靴紐（１８，２０）を固定可能にし、ケース（３１２）内に配置されているクランプ機構とを備え、ケース（３１２）が靴紐（１８，２０）を受容するためのチャンバーを有している前記クロージャーに関する。靴紐端部がたるんで垂れ下がるのを阻止するため、靴紐（１８，２０）は少なくとも１つの開口部（３２０，３２２）を通じて前記チャンバー内に挿入可能であり、クランプ機構は前記チャンバー内に形成されている。少なくとも１つのクランプ面はケース（３１２）で移動不能に保持されている。前記チャンバーを閉鎖させるカバー（３１６）は、靴紐とクランプ機構とを操作可能な開口位置と、前記チャンバーがその中にある靴紐端部によって閉鎖される閉鎖位置との間で移動可能である。
2009544343.tif 000002
【特許請求の範囲】
【請求項１】
靴の靴紐を固定締め付けするためのクロージャーであって、靴紐（１８，２０）の端部を受容するためのチャンバーを形成しているケース（１２；１１２；２１２；３１２）と、引き締めた靴紐（１８，２０）を保持するクランプ機構とを備え、靴紐（１８，２０）が少なくとも１つの開口部（２８，３０；１１４，１１６；３２０，３２２）を通じて前記チャンバー内に挿入可能である前記クロージャーにおいて、
クランプ機構が前記チャンバー内に形成され、ケース（３１２）に設けた少なくとも１つのクランプ面が移動不能であり、前記チャンバーを閉鎖させるカバー（２２；１２８；２２４；３１６）が設けられ、該カバー（２２；１２８；２２４；３１６）が、靴紐とクランプ機構とを操作可能な開口位置と、前記チャンバーがその中にある靴紐端部によって閉鎖される閉鎖位置との間で移動可能であることを特徴とするクロージャー。
【請求項２】
カバー（２２；１２８；２２４；３１６）がケース（１２；１１２；２１２；３１２）に回動可能に固定されていることを特徴とする、請求項１に記載のクロージャー。
【請求項３】
ケース（１２；１１２；２１２；３１２）が、その下面を凹状に成形され、好ましくは、取り付け位置の形状に適合可能であるように曲げ弾性があることを特徴とする、請求項１または２に記載のクロージャー。
【請求項４】
ケース（１２；１１２；３１２）が縦長であり、それぞれ１つの靴紐端部のための２つの開口部（２８，３０；１１４，１１６；３２０，３２２）がケースの下面に配置されていることを特徴とする、請求項１から３までのいずれか一つに記載のクロージャー。
【請求項５】
靴紐（１８，２０）のためのクランプ機構がそれぞれ１つの隙間（３２６，３２８）によって形成され、該隙間は一端のほうへ先細りになっており、その結果靴紐（１８，２０）を先細り領域で締め付け可能であることを特徴とする、請求項１から４までのいずれか一つに記載のクロージャー。
【請求項６】
隙間（３２６，３２８）がその先細り領域によって互いに対向しあっていることを特徴とする、請求項５に記載のクロージャー。
【請求項７】
前記開口部（３２０，３２２）が隙間（３２６，３２８）の間にあることを特徴とする、請求項６に記載のクロージャー。
【請求項８】
隙間（３２６，３２８）が、それぞれ、ケース（３１２）から内側へ突出している細条部（３３０，３３２）とケース底部とによって形成されていることを特徴とする、請求項５から７までのいずれか一つに記載のクロージャー。
【請求項９】
靴紐（１８，２０）の緩んでいる端部を細条部（３３０，３３２）のまわりに巻付け可能であることを特徴とする、請求項８に記載のクロージャー。
【請求項１０】
ケース（３１）に突起が形成され、該突起の後方に靴紐端部を固定可能であることを特徴とする、請求項５から９までのいずれか一つに記載のクロージャー。
【請求項１１】
クランプ機構が、位置固定のクランプ面（３２；１２４；２２０）と可動なクランプ面（３４；１２０；２１６）とを備えた少なくとも１つの着脱可能なクランプ部（１４，１６）によって形成され、位置固定のクランプ面（３２；１２４；２２０）がケース（１２；１１２；２１２）にじかに形成され、ばね（４２；１１２；２１２）が可動なクランプ面（３４；１２０；２１６）を位置固定のクランプ面（３２；１２４；２２０）の方向へ押していることを特徴とする、請求項１から４までのいずれか一つに記載のクロージャー。
【請求項１２】
可動なクランプ面を靴紐端部に対し押圧させて靴紐端部を該クランプ面の間に固定させるため、自動ロック構造またはデッドポイント構造を備えたクランプ機構が設けられていることを特徴とする、請求項１１に記載のクロージャー。
【請求項１３】
互いに特定の間隔をもって、ケース（１２）に第１のクランプ部（１４）と第２のクランプ部（１６）が設けられていることを特徴とする、請求項１０から１２までのいずれか一つに記載のクロージャー。
【請求項１４】
第１および第２のクランプ部の可動なクランプ面（１２０）がただ１つのクロージャー要素（１１８）に設けられていることを特徴とする、請求項１３に記載のクロージャー。
【請求項１５】
クロージャー要素（１１８；２１４）がケース（１１２；２１２）に変位可能に保持され、可動なクランプ面（１２０）の移動方向が位置固定のクランプ面（１２４）に対しほぼ平行であり、靴紐（１８，２０）が位置固定のクランプ面（１２４）と可動なクランプ面（１２０）との間の間隔よりも厚いことを特徴とする、請求項１４に記載のクロージャー。
【請求項１６】
可動なクランプ面（３４）が第１のクロージャー要素（３８）と第２のクロージャー要素（４０）とによって形成され、第１のクロージャー要素（３８）と第２のクロージャー要素（４０）とがそれぞれケース（１２）に回動可能に固定されていることを特徴とする、請求項１５に記載のクロージャー。
【請求項１７】
カバー（２２；１２８；２２４；３１６）とケース（１２；１１２；２１２；３１２）との間に、着脱可能なケースクロージャー（２４；１３０；２２６；３１８）が設けられていることを特徴とする、請求項１から１６までのいずれか一つに記載のクロージャー。
【発明の詳細な説明】
【技術分野】
【０００１】
本発明は、靴の靴紐を固定締め付けするためのクロージャーであって、靴紐の端部を受容するためのチャンバーを形成しているケースと、引き締めた靴紐を保持するクランプ機構とを備え、靴紐が少なくとも１つの開口部を通じて前記チャンバー内に挿入可能である前記クロージャーに関するものである。
【背景技術】
【０００２】
靴紐クロージャーは、紐結び型の靴において、靴紐を引き締めてその位置を固定するために使用される。靴紐クロージャーにより、靴紐を固定するために結び目とループを作る必要がなくなる。靴紐クロージャーは、たとえば日常的に履かれるスポーツシューズの場合に好ましく、人気が高まっている。靴紐の両端部を締め付けるクロージャーは知られている。たとえば特許文献１は、靴紐をクランプ機構で保持するようにした靴紐クロージャーを記載している。この場合、靴紐端部は通常はクランプ機構から突出しているが、たとえば突出している靴紐端部につまずいて転ぶことがあるので、安全上のリスクがある。靴紐は、その両端部を互いに結び合わせることができるように採寸されているので、端部を締め付け固定すると、端部が非常に長く垂れ下がることになる。このため、前記特許文献１では、靴紐端部を所望の寸法に切断することを提案している。しかしながら、これによって、靴紐を使用可能な靴の最大幅が固定されてしまう。さらに、切断された靴紐は、その長さがループを伴う通常の結び目にとっては十分でないので、適当な靴紐クロージャーとともに使用することができなくなる。
【０００３】
さらに、特許文献２には、楔状のインサートが靴紐を止め面に対し押圧させて、引き出しを阻止するようにしたクロージャーが記載されている。また、特許文献３には、靴紐がクロージャーの溝のなかに挿入され、この溝のなかでカバーにより押圧されることで保持されるようにしたクロージャーが示されている。特許文献４からは、結んだ靴紐を引き締めてクランプにより固定するようにしたクロージャークランプが知られている。特許文献５では、靴紐は回動可能なクランプ面によって保持部で保持される。特許文献６では、靴紐の固定は、変位可能に保持される締め付けくさびによって行なわれる。特許文献７は、通常のループを固定するためのクロージャーを記載している。特許文献８によれば、紐とループの閉鎖可能なカバーが設けられ、特許文献９では、通常のループを受容するための閉鎖可能なケースが記載されている。最後に、特許文献１０には、挿通される靴紐領域に固定されるクロージャーであって、靴紐端部をフック状に挿入するようにした前記クロージャーが記載されている。フックは、締付けと詰め込みのために、回転可能なケース部材とともに可動であり、この場合靴紐端部はクロージャー内部のロープドラムに巻きつけられる。このクロージャーは靴から取り外すのが容易でなく、最初に靴に取り付けて設定するには、ある程度の時間と労力が必要である。
【先行技術文献】
【特許文献】
【０００４】
【特許文献１】米国特許第６０２６５４８号明細書
【特許文献２】米国特許第２２００８９５号明細書
【特許文献３】独国実用新案登録第２９７１０９３２Ｕ１号
【特許文献４】スイス特許第２７１３６４号明細書
【特許文献５】欧州特許出願公開第０３３７０４４Ａ１号明細書
【特許文献６】英国特許出願公開第２４０４８３９Ａ号明細書
【特許文献７】フランス特許第２７９８２６４号明細書
【特許文献８】独国実用新案登録第２０１１０３８１Ｕ１号
【特許文献９】米国特許第３４７３１９８号明細書
【特許文献１０】欧州特許出願公開第０５４０２５１Ａ１号明細書
【発明の概要】
【発明が解決しようとする課題】
【０００５】
本発明の課題は、靴紐端部がたるんで垂れ下がるのを回避し、きわめて簡単に取り付けることのできる靴紐クロージャーを提供することである。
【課題を解決するための手段】
【０００６】
この課題は、本発明によれば、冒頭で述べた種類の靴紐クロージャーにおいて、クランプ機構がチャンバー内に形成され、ケースに設けた少なくとも１つのクランプ面が移動不能であり、前記チャンバーを閉鎖させるカバーが設けられ、該カバーが、靴紐とクランプ機構とを操作可能(zugaenglich)な開口位置と、前記チャンバーがその中にある靴紐端部によって閉鎖される閉鎖位置との間で移動可能であることによって解決される。
【０００７】
本発明による靴紐クロージャーの利点は、両靴紐端部をケース内に迅速且つ確実に詰め込むことができる点にある。その際、突出している長さ部分全体、すなわち通常はループを伴っている結び目のために必要な部分全体を詰め込むことができる。靴紐端部は靴からたるんだ状態で垂れ下がらないので、たるんでいる靴紐の一端に他方の靴がぶつかって躓くことがない。さらに、靴紐端部が不慮にほどけるのが阻止される。ケースとカバーとによって、靴紐クロージャーをコンパクトな部材として構成できる。したがって、本発明による靴紐クロージャーは、デザインに高価値がおかれ、モダンで斬新な造形でもって使用材料に対応させるのを目的としたモダンなスポーズシューズに特に適している。クランプ機構がケース内に配置されているので、靴紐端部を引き締めることができるようにクランプ機構を靴に固定させる必要はない。むしろ靴紐端部は、靴に固定されるのではなく、ループの場合と同様にケースを用いて互いに固定される。他方、利用者が保持して操作できるようにしなければならない、たるんだ状態のクランプ機構とは異なり、本発明によるクランプ機構は、簡単に操作できるように、靴に当接しているケースによって保持されている。本発明による靴紐クロージャーは、靴に特殊な処置または機構を必要としないので、たとえば種々の靴で使用できるようにするための、或いは、他の靴に迅速に交換できるようにするための、靴の追装備にも好適である。靴紐を固定するための特別な作業、特に靴の中に挿通される靴紐部分を貫通させる作業は必要ない。さらに、カバーは靴紐端部を擦り切れから保護する。また、クランプ機構もその可動部分によって汚染または損傷から保護される。
【０００８】
本発明の合目的な構成では、カバーがケースに回動可能に固定されており、その結果、クランプ機構を操作したときに、利用者はカバーを別個に保持する必要がない。
【０００９】
さらに、足の甲領域で靴の湾曲した上面に好適に取り付けることができるように、ケースがその下面を凹状に成形されている実施形態が有利である。この場合、ケースは、取り付け個所の形状に適合可能であるように曲げ弾性があるのが好ましい。これにより、クロージャーが足を点状に押すのが避けられるので、さらに快適な履き心地が得られる。
【００１０】
好ましくは、ケースが縦長であり、それぞれ１つの靴紐端部のための２つの開口部がケースの下面に配置されているのがよい。この場合、省スペースの実施態様が得られる。ケースの下面に開口部が形成されているため、両靴紐端部がそれぞれ鳩目から突出しているような個所においてクロージャーが靴に設置されるので、靴紐端部は鳩目以降は完全に覆われた状態で靴紐クロージャーの中で延在する。
【００１１】
本発明の特に有利な実施態様では、靴紐のためのクランプ機構がそれぞれ１つの隙間によって形成され、該隙は一端のほうへ先細りになっており、その結果靴紐を先細り領域で締め付け可能である。両隙間は種々の態様でケース内部に形成されていてよく、ケースをプラスチック部材から製造する場合も、きわめて簡単に構造変更することができる。靴紐は、まず開口部を通じてチャンバー内へ挿入され、そこで靴紐は開口したカバーを通じて好適に操作可能である。この場合靴紐は容易に緊張させることができ、緊張状態でそれぞれに付設の隙間に挿入されて締め付けられる。
【００１２】
好ましくは、隙間がその先細り領域によって互いに対向しあっているのがよい。その結果、クランプ力をケースによって好適に吸収することができ、回転方向に力が発生することがない。
【００１３】
特に合目的なのは、靴紐端部をチャンバー内へ挿入させるための前記開口部が隙間の間にあるような実施態様である。このような実施態様では、靴紐はたとえば互いに引き離すだけで好適に引き締めることができ、滑りぬけないよう固定することができる。
【００１４】
特に有利な実施形態では、隙間が、それぞれ、ケースから内側へ突出している細条部とケース底部とによって形成されている。この場合、両細条部はフック状の形状を有し、細条部の下方ではケース底部は開口していても閉鎖されていてもよい。ケース底部が開口している場合には、靴紐を、１つの開口部の鋭いエッジと細条部の鋭いエッジとの間で好適に締め付け固定することができる。前記エッジは、それぞれ、一方では大きな締付け力が発生するように構成され、他方では、あまり鋭くしすぎて靴紐が損傷しないように構成されている。
【００１５】
できるだけ利用者にやさしいように靴紐を詰め込むことができるように、すなわち迅速且つ簡単に靴紐を詰め込むことができるようにするため、靴紐の緩んでいる端部を細条部のまわりに巻付け可能である。このため、隙間は、その拡張領域において、本来の締め付け固定のために必要なよりもいくぶん長く且つ大きく形成されている。
【００１６】
他の有利な実施形態では、ケースに突起が形成され、該突起の後方に靴紐端部を固定可能である。これにより靴紐端部がカバーの閉鎖を阻害することがない。
【００１７】
択一的な実施態様では、できるだけ簡潔な構成のクランプ機構を得るため、クランプ機構が、位置固定のクランプ面と可動なクランプ面とを備えた少なくとも１つの着脱可能なクランプ部によって形成されている。位置固定のクランプ面はケースにじかに形成され、その結果必要な部品数は最低限に低減されている。これは、靴紐クロージャーの製造工程とコストに好都合に影響する。ばねは可動なクランプ面を位置固定のクランプ面の方向へ押して、靴紐を固定させる。ばね力により、靴紐端部が常に同じ締め付け力で固定されることが保証されている。
【００１８】
他の実施形態では、可動なクランプ面を靴紐端部に対し押圧させて靴紐端部を該クランプ面の間に固定させるため、自動ロック構造またはデッドポイント構造(Totpunktmechanik)を備えたクランプ機構が設けられている。クランプ面は、靴紐端部を挿入させるため、開口位置へもたらすことができ、この開口位置ではもはや力を入れる必要はなく、利用者の快適性を向上させる。
【００１９】
好ましくは、靴紐端部のそれぞれの一端を固定させるため、互いに特定の間隔をもって、ケースに第１のクランプ部と第２のクランプ部が設けられている。
【００２０】
変形実施形態では、第１および第２のクランプ部の可動なクランプ面がただ１つのクロージャー要素に設けられている。これによって、クランプ機構の簡潔な構成が得られる。
【００２１】
好ましくは、コンパクトなクランプ機構を得るため、クロージャー要素がケースに変位可能に保持されている。効果的な締め付けのため、可動なクランプ面の移動方向は位置固定のクランプ面に対しほぼ平行であり、靴紐は位置固定のクランプ面と可動なクランプ面との間の間隔よりも厚い。
【００２２】
有利な実施形態では、可動なクランプ面は第１のクロージャー要素と第２のクロージャー要素とによって形成されている。これにより、両靴紐端部を互いに独立にそれぞれのクランプ位置へ挿入し、緊張させることができる。第１のクロージャー要素と第２のクロージャー要素とはそれぞれケースに回動可能に固定され、靴紐の簡単で確実な固定を保証している。異なるタイプの靴、靴幅、または紐の結び方が異なっていても、靴紐が鳩目から突出している個所に、靴紐端部を挿入するための開口部を配置することができるようにするため、ケースの長さは靴紐端部の位置に適合している。この場合、ケースの長さは２ｃｍないし１４ｃｍである。これによりクロージャーを多種多様に可能な限り広範囲に使用することができ、たとえばベビーシューズ或いは非常に大きなバスケットシューズにも使用できる。
【００２３】
本発明の他の構成では、カバーとケースとの間に、着脱可能なケースクロージャーが設けられている。
【００２４】
着脱可能なクロージャーにより、ケースを搬送中に確実に閉鎖させることができる。クロージャーとは、たとえば通常のロック機構であり、或いは、マジッククテープ（商品名）、ジッパー、マグネチックロック、スナップボタンファスナーである。
【図面の簡単な説明】
【００２５】
【図１】靴紐クロージャーの縦断面図である。
【図２】図１の靴紐クロージャーの展開図である。
【図３】カバーを取り外した靴紐クロージャーの平面図である。
【図４】靴紐クロージャーのクランプ個所の斜視図である。
【図５】靴紐を挿入中の図４のクランプ個所を示す図である。
【図６】靴紐端部が固定されている状態の図５のクランプ個所を示す図である。
【図７】靴紐クロージャーの他の実施形態の展開図である。
【図８】カバーを閉じた状態の図７の靴紐クロージャーを示す図である。
【図９】靴紐クロージャーの他の実施形態を示す図である。
【図１０】靴紐クロージャーの他の実施形態を上から見た等尺図である。
【図１１】図１０の靴紐クロージャーのケース底部を示す図である。
【図１２】図１０の靴紐クロージャーを斜め下から見た等尺図である。
【図１３】図１０ないし図１２のクロージャーの側面図である。
【図１４】図１３のクロージャーの開口状態の側面図である。
【図１５】図１０のクロージャーの開口状態の正面図である。
【図１６】図１５のクロージャーを閉鎖状態で示した図である。
【図１７】クロージャーを閉鎖状態で示した平面図である。
【図１８】図１６および図１７のクロージャーの背面図である。
【図１９】クロージャーを開口状態で示した平面図である。
【図２０】図１０ないし図１９のクロージャーの縦断面図である。
【図２１】図２０の縦断面展開図である。
【図２２】図２１の展開図の等尺図である。
【図２３】２３ａないし２３ｈは、図１０ないし図２２のクロージャーを使用する場合の個々のステップの順序を説明する図である。
【発明を実施するための形態】
【００２６】
図１には、靴紐クロージャーが断面図で図示されている。靴紐クロージャーは、２つのクランプ部１４，１６の形態の着脱可能なクランプ機構を備えたケース１２を有している。２つのクランプ部１４，１６は互いに特定の間隔で設けられている。クランプ部１４，１６にはそれぞれ、図示していない靴の靴紐の一端１８，２０を挿入して固定することができる。ケース１２はその下面を凹状に成形されており、足の甲の領域で靴の上面に好適に当接することができるようになっている。ケース１２にはわずかに曲げ弾性があり、その結果ケース１２は靴の取り付け部の形状に適合することができる。ケース１２は、図２および図３からわかるように縦長の形状を有し、靴紐端部１８，２０とクランプ部１４，１６とを受容するチャンバーを備えている。チャンバーを閉鎖させるため、カバー２２が設けられている。カバー２２は、着脱可能なケースクロージャー２４を用いてケースに固定させることができる。ケースクロージャー２４は、押しボタン２６によりロックをはずすことができる通常のロック機構を有している。
【００２７】
ケース１２の両端部には、靴紐端部１８，２０を通すため、それぞれ開口部２８，３０が設けられている。開口部２８，３０はケースの下面の方向へ、すなわち靴の方向へ指向している。靴紐を固定するため、その端部１８，２０を、それぞれ開口部２８，３０を通じて、該開口部２８，３０の間に配置されているクランプ部１４，１６に挿入される。
【００２８】
両クランプ部１４，１６は、それぞれ、位置固定のクランプ面３２と移動可能なクランプ面３４とを有している。位置固定のクランプ面３２と可動なクランプ面３４はそれぞれ歯部３６を備えている。歯部３６は互いにずらして配置されている。クロージャーをできるだけ簡潔に、低コストに製造できるように、位置固定のクランプ面３２はケース１２にじかに形成されている。可動なクランプ面３４はクロージャー要素３８，４０によって形成されている。両クロージャー要素３８，４０はそれぞれケース１２に回動可能に固定されている。可動なクランプ面３４を位置固定のクランプ面３２の方向へ押すため、クランプ部１４，１６にそれぞればね４２が設けられている。クランプ部１４，１６を開くため、クロージャー要素３８，４０は操作レバー４４を備えており、その結果可動なクランプ面３４は軽く下へ押すことによって位置固定のクランプ面３２から離間するように移動することができて、靴紐端部１８，２０をクランプ面３４，３２の間に挿入させることができる。靴紐を引き締めるため、その端部を、クロージャー要素３８，４０の下方でクランプ部１４，１６を通じて引張る。所望の引き締め状態に達すると、クロージャー要素３８，４０の操作レバー４４を離し、その結果ばね４２が可動なクランプ面３４を位置固定のクランプ面３２の方向へ押す。クランプ面３４，３２に設けられている歯部３６またはその他の異形部により、靴紐端部１８，２０は確実に固定される。靴紐端部１８，２０をはずすため、操作レバー４４を下へ押すと、その結果靴紐端部１８，２０をクランプ部１４，１６から引き出すことができる。両クランプ部１４，１６の間隔は、両操作レバーを片手で同時に操作できるように選定されているのが好ましい。
【００２９】
靴紐を引き締めて固定した後、クランプ部１４，１６から突出している靴紐端部１８，２０を、ケース１２によって形成されているチャンバー内へ詰め込む。次に、カバー２２を軽く押すことでケースをカバー２２で閉鎖させ、その結果カバー２２のクロージャー２４をロックさせる。これにより、靴紐端部１８，２０は汚染、擦り切れ等の損傷から保護される。また、カバー２２はクランプ部１４，１６をも汚染、損傷から保護する。さらに、靴紐端部１８，２０が歩行または走行の際にたとえば森の中で枝等に不慮に引っかかることもない。これは、ボタンとループとを備えた靴紐の通常のクロージャーでは、ボタンが外れたり、つまずいたりする原因になっていた。
【００３０】
図７と図８には、靴紐クロージャーの他の実施形態が図示されている。ケース１２には、靴紐端部を挿入させるため、２つの開口部１１４，１１６が設けられている。靴紐端部を固定するため、ただ１つのクロージャー要素１１８が設けられている。このクロージャー要素１１８の場合、２つの可動なクランプ面１２０を、ばね１２２によって、ケース１１２に設けられている位置固定のクランプ面１２４の方向へ押す。ケース１１２で変位可能に保持されているクロージャー要素１１８の可動なクランプ面１２０の運動方向は、位置固定のクランプ面１２４に対しほぼ平行である。位置固定のクランプ面１２０と可動なクランプ面１２４との間隔が靴紐端部の厚さよりも小さいので、靴紐端部はこれらクランプ面１２４，１２０の間で確実に保持される。
【００３１】
靴紐端部を、クロージャー要素１１８によって形成されるクランプ部のなかへ挿入させるため、クロージャー要素１１８を押すことで、該クロージャー要素１１８を、ケース１１２に設けられている受容部１２６のなかへ移動させる。靴紐端部を固定するため、クロージャー要素１１８を離すと、ばね１２２がクランプ面１２０，１２４を互いに変位させ、靴紐端部を可動なクランプ面１２０と位置固定のクランプ面１２４との間の狭い隙間の中に固定させる。
【００３２】
次に、ケース１１２にカバー１２８を取り付ける。カバー１２８は、クランプ機構も突出している靴紐端部も受容し、損傷および汚染から保護している。カバー１２８は、通常のロック機構を備えたケースクロージャー１３０により固定されている。ケースクロージャー１３０を開くため、ケースクロージャー１３０のロックを解除させる押しボタン１３０が設けられている。
【００３３】
カバー１２８をケース１１２から取り外すことなく利用者ができるだけ迅速且つ簡単に靴紐の固定を解除できるようにするため、クロージャー要素１１８はカバー１２８を取り付けた状態でも操作可能である。
【００３４】
図９は、図７の靴紐クロージャーの変形実施形態を示している。靴紐端部は、図示していない１個または複数個の開口部を介して下からケース２１２内へ挿入させる。靴紐端部を固定するため、ただ１つのクロージャー要素２１４が設けられている。このクロージャー要素２１４の場合、２つの可動なクランプ面２１６を、ばね２１８によって、ケース２１２に設けられている位置固定のクランプ面２２０の方向へ押す。ケース２１２で変位可能に保持されているクロージャー要素２１４の可動なクランプ面２１６の運動方向は、位置固定のクランプ面２２０に対しほぼ平行である。位置固定のクランプ面２２０と可動なクランプ面２１６との間隔が靴紐端部の厚さよりも小さいので、靴紐端部はこれらクランプ面２１６，２２０の間で確実に保持される。
【００３５】
靴紐端部を、クロージャー要素２１４によって形成されるクランプ部のなかへ挿入させるため、クロージャー要素２１４を押すことで、該クロージャー要素２１４を、ケース２１２に設けられている受容部２２２のなかへ移動させる。靴紐端部を固定するため、クロージャー要素２１４を離すと、ばね２１８がクランプ面２１６，２２０を互いに変位させ、靴紐端部を可動なクランプ面２１６と位置固定のクランプ面２２０との間の狭い隙間の中に固定させる。
【００３６】
次に、ケース２１２にカバー２２４を取り付ける。カバー２２４は、通常のロック機構を備えたケースクロージャー２２６により固定されている。クロージャー要素２１４は、図７および図８に図示したクロージャー要素１１８の場合と同様に、カバー２２４を取り付けた状態でも操作可能である。
【００３７】
ケース１２，１１２，２１２とカバー２２，１２８，２２４とは、好ましくはプラスチックから成り、その結果靴紐端部を多種多様に構成でき、たとえば染色またはエンボス加工および織物によって構成できる。ケース１２，１１２，２１２をカバー２２，１２８，２２４と種々のデザインで組み合わせることができるように、カバー２２，１２８，２２４を交換可能に構成してよい。カバー２２，１２８，２２４の上面には、銘柄または企業ロゴを入れてもよい。
【００３８】
図１０ないし図２３には、他の実施形態として、靴の靴紐を締め付け固定するためのクロージャー３１０が図示されている。
【００３９】
クロージャー３１０は、靴紐の端部を収容するためのケース３１２を有している。ケース３１２は、靴の甲領域に取り付けるために、その下面が凹状に成形されており、取り付け部位の形状に適合可能なような曲げ弾性がある。
【００４０】
縦長のケース３１２は底板３１４を有し、底板３１４で、チャンバーを閉鎖させるカバー３１６が回動可能に保持されている。閉鎖状態でカバー３１６を一時的に固定するため、カバー３１６とケース３１２との間には着脱可能なケースクロージャー３１８が設けられ、該ケースクロージャー３１８に対し回動可能にカバー３１６が底板３１４で保持されている（図１４および図１５をも参照）。ケースクロージャー３１８は、ボタン３１９を押すことで解除されるロック機構を備えている。
【００４１】
ケース３１２は下面に２つの開口部３２０，３２２を有し、該開口部を通じて靴紐をチャンバー内へ挿入する。チャンバーの内部には、底板３１４にクランプ装置３２４が設けられ、該クランプ装置３２４を用いて靴紐が固定される。この場合、クランプ装置３２４はケース３１２に対し不動に保持されている。クランプ装置３２４は、それぞれの靴紐のために、片側が開口した隙間３２６，３２８を有し、隙間３２６，３２８は、靴紐を締め付け固定するため、前記挿入用開口部から前記隙間のほうへ先細りになっている。隙間３２６，３２８は、それぞれ、ケース３１２からチャンバー内部のなかへ突出している細条部３３０，３３２と、ケース底部に設けた繰り抜き部の縁との間に形成されている。この場合、両開口部３２０，３２２は互いに整列している（互いに離間しあうように図示した）隙間の間に配置されている。細条部３３０，３３２は横断面にてたとえばＴ字状であり、先細りになっている隙間３２６，３２８は、ケース底部から外側へ離間している異形側面によって生じたものである。
【００４２】
細条部３３０，３３２は、その長さに関し、靴紐の緩んでいる領域を、隙間３２６，３２８の外側領域において細条部３３０，３３２のまわりに巻きつけることができるように選定されている。靴紐端部をより好適に詰め込むことができるように、ケースクロージャー３１８は突起３３４として構成され、該突起３３４の後方へ靴紐端部を移動させることができ、その結果靴紐端部は、カバー３１６を閉じたときに側方へ突出しない。
【００４３】
カバー３１６の上面には装飾クリップ３３６のみが設けられ、装飾クリップ３３６上には、装飾要素以外に企業ロゴ、広告等を取り付けることができる。装飾クリップ３３６はカバー３１６上に嵌着され、小さなロック突起によってカバー３１６で保持される（図２０ないし図２２をも参照）。
【００４４】
図２３ａないし図２３ｈには、図１０ないし図２２に記載の靴紐クロージャー３１０の使用態様が、スポーズシューズとの関連で図示されている。なお、靴紐クロージャー３１０はもちろん他の種類の靴にも使用できる。まず、靴紐クロージャー３１０を、押しボタン３１９を押すことで開く。次に、靴紐１８，２０を、ケース３１２の下面に設けた穴３２０，３２２を通じて下側から挿入する。なお穴３２０，３２２は、図示した実施形態の場合、細条部３３０，３３２の間に配置されているのではなく、隙間の挿入用開口部の側方にして細条部３３０，３３２の後方に配置されている。次に、靴紐クロージャー３１０を靴上の中央部に位置決めし、その結果穴３２０，３２２は、靴の、靴紐１８，２０が靴の鳩目から出ている箇所の、上方に位置することになる。次に、靴紐１８，２０を必要に応じて引き締める。このため、まず靴紐を靴に対しわずかな間隔で且つわずかな角度で十字に交差させて外側上方へ引張る。このとき靴紐１８，２０は細条部３３０，３３２の後方において隙間３２６，３２８内で締め付けられる（図２３ｃのステップａを参照）。この場合、締め付け作用は、第１に、先細りになっている隙間３２６または３２８によって行なわれるが、補助的に、十字に交差している靴紐１８，２０によっても達成される。
【００４５】
先細りになっている隙間３２６，３２８とは択一的に、均一な幅で開口している隙間でもよい。この場合の締め付け作用は、多重に十字交差している靴紐１８，２０だけで達成される。しかしこの場合、細条部に巻きつける際に靴紐の緊張度をより長く維持せねばならない。
【００４６】
所望の強度を得るため、すなわち靴を足で所望の保持力で保持する場合、図２３ｃによれば、靴紐１８，２０をそれぞれ小さな円運動で下から上へ向けて、突出している細条部３３０，３３２のまわりに巻きつける。このため、次に靴紐１８，２０を上方へ引張ることによって靴紐を堅く締め付ける（図２３ｄのステップｂを参照）。
【００４７】
その後、図２３ｅに示したように、両靴紐の、残っている自由な領域、すなわち緩んでいる領域を、細条部３３０，３３２の自由端のまわりに交互に巻きつける。カバー３１６を閉じたときに靴紐端部が底板３１４とカバー３１６との間で固着されないようにするため、靴紐端部を軽く押して、突起として形成されているケースクロージャー３１８の下へ滑り込ませる。このためには、靴紐端部がプラスチックスリーブまたは金属スリーブを備えている（図２３ｆ）ような靴紐端部が特に適している。最後にカバーを閉じる。この場合、カバー３１６はクロージャー機構をロックすることによって確実に保持される。開くにはクロージャーボタン３１９を押してカバー３１６を開く。この場合、回動可能な結合には閉じた状態でプレストレスがかけられていることにより、簡単に開くことができる。カバーが閉じている場合、靴紐クロージャー３１０の上面に装飾クリップを良好に視認でき、たとえば企業ロゴ或いは他の広告要素の取り付けに利用することができる（図２３ｈを参照）。
【図１】
2009544343.tif 000003
【図２】
2009544343.tif 000004
【図３】
2009544343.tif 000005
【図４】
2009544343.tif 000006
【図５】
2009544343.tif 000007
【図６】
2009544343.tif 000008
【図７】
2009544343.tif 000009
【図８】
2009544343.tif 000010
【図９】
2009544343.tif 000011
【図１０】
2009544343.tif 000012
【図１１】
2009544343.tif 000013
【図１２】
2009544343.tif 000014
【図１３】
2009544343.tif 000015
【図１４】
2009544343.tif 000016
【図１５】
2009544343.tif 000017
【図１６】
2009544343.tif 000018
【図１７】
2009544343.tif 000019
【図１８】
2009544343.tif 000020
【図１９】
2009544343.tif 000021
【図２０】
2009544343.tif 000022
【図２１】
2009544343.tif 000023
【図２２】
2009544343.tif 000024
【図２３ａ】
2009544343.tif 000025
【図２３ｂ】
2009544343.tif 000026
【図２３ｃ】
2009544343.tif 000027
【図２３ｄ】
2009544343.tif 000028
【図２３ｅ】
2009544343.tif 000029
【図２３ｆ】
2009544343.tif 000030
【図２３ｇ】
2009544343.tif 000031
【図２３ｈ】
2009544343.tif 000032
2009544343.tif 000033
【手続補正書】
【提出日】平成21年6月10日(2009.6.10)
【手続補正１】
【補正対象書類名】明細書
【補正対象項目名】全文
【補正方法】変更
【補正の内容】
【発明の詳細な説明】
【技術分野】
【０００１】
本発明は、靴の靴紐を固定締め付けするためのクロージャーであって、靴紐の端部を受容するためのチャンバーを形成しているケースを備え、靴紐が少なくとも１つの開口部を通じて前記チャンバー内に挿入可能であり、前記チャンバーを閉鎖させるカバーが設けられ、該カバーが、靴紐を操作可能な開口位置と、前記チャンバーがその中にある靴紐端部によって閉鎖される閉鎖位置との間で移動可能である前記クロージャーに関するものである。
【背景技術】
【０００２】
靴紐クロージャーは、紐結び型の靴において、靴紐を引き締めてその位置を固定するために使用される。靴紐クロージャーにより、靴紐を固定するために結び目とループを作る必要がなくなる。靴紐クロージャーは、たとえば日常的に履かれるスポーツシューズの場合に好ましく、人気が高まっている。靴紐の両端部を締め付けるクロージャーは知られている。たとえば特許文献１は、靴紐をクランプ機構で保持するようにした靴紐クロージャーを記載している。この場合、靴紐端部は通常はクランプ機構から突出しているが、たとえば突出している靴紐端部につまずいて転ぶことがあるので、安全上のリスクがある。靴紐は、その両端部を互いに結び合わせることができるように採寸されているので、端部を締め付け固定すると、端部が非常に長く垂れ下がることになる。このため、前記特許文献１では、靴紐端部を所望の寸法に切断することを提案している。しかしながら、これによって、靴紐を使用可能な靴の最大幅が固定されてしまう。さらに、切断された靴紐は、その長さがループを伴う通常の結び目にとっては十分でないので、適当な靴紐クロージャーとともに使用することができなくなる。
【０００３】
さらに、特許文献２には、楔状のインサートが靴紐を止め面に対し押圧させて、引き出しを阻止するようにしたクロージャーが記載されている。また、特許文献３には、靴紐がクロージャーの溝のなかに挿入され、この溝のなかでカバーにより押圧されることで保持されるようにしたクロージャーが示されている。特許文献４からは、結んだ靴紐を引き締めてクランプにより固定するようにしたクロージャークランプが知られている。特許文献５では、靴紐は回動可能なクランプ面によって保持部で保持される。特許文献６では、靴紐の固定は、変位可能に保持される締め付けくさびによって行なわれる。特許文献７は、通常のループを固定するためのクロージャーを記載している。特許文献８によれば、紐とループの閉鎖可能なカバーが設けられ、特許文献９では、通常のループを受容するための閉鎖可能なケースが記載されている。最後に、特許文献１０には、挿通される靴紐領域に固定されるクロージャーであって、靴紐端部をフック状に挿入するようにした前記クロージャーが記載されている。フックは、締付けと詰め込みのために、回転可能なケース部材とともに可動であり、この場合靴紐端部はクロージャー内部のロープドラムに巻きつけられる。このクロージャーは靴から取り外すのが容易でなく、最初に靴に取り付けて設定するには、ある程度の時間と労力が必要である。
【先行技術文献】
【特許文献】
【０００４】
【特許文献１】米国特許第６０２６５４８号明細書
【特許文献２】米国特許第２２００８９５号明細書
【特許文献３】独国実用新案登録第２９７１０９３２Ｕ１号
【特許文献４】スイス特許第２７１３６４号明細書
【特許文献５】欧州特許出願公開第０３３７０４４Ａ１号明細書
【特許文献６】英国特許出願公開第２４０４８３９Ａ号明細書
【特許文献７】フランス特許第２７９８２６４号明細書
【特許文献８】独国実用新案登録第２０１１０３８１Ｕ１号
【特許文献９】米国特許第３４７３１９８号明細書
【特許文献１０】欧州特許出願公開第０５４０２５１Ａ１号明細書
【発明の概要】
【発明が解決しようとする課題】
【０００５】
本発明の課題は、靴紐端部がたるんで垂れ下がるのを回避し、きわめて簡単に取り付けることのできる靴紐クロージャーを提供することである。
【課題を解決するための手段】
【０００６】
この課題は、本発明によれば、冒頭で述べた種類の靴紐クロージャーにおいて、引き締めた靴紐を保持する、靴紐のためのクランプ機構が設けられ、クランプ機構が前記チャンバー内にそれぞれ１つの隙間によって形成され、該隙間は一端のほうへ先細りになっており、その結果靴紐を先細り領域で締め付け可能であり、隙間がその先細り領域によって互いに対向しあい、且つ隙間が、それぞれ、ケースから内側へ突出している細条部とケース底部とによって形成されていることによって解決される。
【０００７】
本発明による靴紐クロージャーの利点は、両靴紐端部をケース内に迅速且つ確実に詰め込むことができる点にある。その際、突出している長さ部分全体、すなわち通常はループを伴っている結び目のために必要な部分全体を詰め込むことができる。靴紐端部は靴からたるんだ状態で垂れ下がらないので、たるんでいる靴紐の一端に他方の靴がぶつかって躓くことがない。さらに、靴紐端部が不慮にほどけるのが阻止される。ケースとカバーとによって、靴紐クロージャーをコンパクトな部材として構成できる。したがって、本発明による靴紐クロージャーは、デザインに高価値がおかれ、モダンで斬新な造形でもって使用材料に対応させるのを目的としたモダンなスポーズシューズに特に適している。クランプ機構がケース内に配置されているので、靴紐端部を引き締めることができるようにクランプ機構を靴に固定させる必要はない。むしろ靴紐端部は、靴に固定されるのではなく、ループの場合と同様にケースを用いて互いに固定される。他方、利用者が保持して操作できるようにしなければならない、たるんだ状態のクランプ機構とは異なり、本発明によるクランプ機構は、簡単に操作できるように、靴に当接しているケースによって保持されている。本発明による靴紐クロージャーは、靴に特殊な処置または機構を必要としないので、たとえば種々の靴で使用できるようにするための、或いは、他の靴に迅速に交換できるようにするための、靴の追装備にも好適である。靴紐を固定するための特別な作業、特に靴の中に挿通される靴紐部分を貫通させる作業は必要ない。さらに、カバーは靴紐端部を擦り切れから保護する。また、クランプ機構もその可動部分によって汚染または損傷から保護される。
【０００８】
本発明によれば、靴紐のためのクランプ機構がそれぞれ１つの隙間によって形成され、該隙間は一端のほうへ先細りになっており、その結果靴紐を先細り領域で締め付け可能である。両隙間は種々の態様でケース内部に形成されていてよく、ケースをプラスチック部材から製造する場合も、きわめて簡単に構造変更することができる。靴紐は、まず開口部を通じてチャンバー内へ挿入され、そこで靴紐は開口したカバーを通じて好適に操作可能である。この場合靴紐は容易に緊張させることができ、緊張状態でそれぞれに付設の隙間に挿入されて締め付けられる。
【０００９】
本発明によれば、隙間はその先細り領域によって互いに対向しあっている。その結果、クランプ力をケースによって好適に吸収することができ、回転方向に力が発生することがない。
【００１０】
さらに、本発明によれば、隙間は、それぞれ、ケースから内側へ突出している細条部とケース底部とによって形成されている。この場合、両細条部はフック状の形状を有し、細条部の下方ではケース底部は開口していても閉鎖されていてもよい。ケース底部が開口している場合には、靴紐を、１つの開口部の鋭いエッジと細条部の鋭いエッジとの間で好適に締め付け固定することができる。前記エッジは、それぞれ、一方では大きな締付け力が発生するように構成され、他方では、あまり鋭くしすぎて靴紐が損傷しないように構成されている。
【００１１】
本発明の合目的な構成では、カバーがケースに回動可能に固定されており、その結果、クランプ機構を操作したときに、利用者はカバーを別個に保持する必要がない。
さらに、足の甲領域で靴の湾曲した上面に好適に取り付けることができるように、ケースがその下面を凹状に成形されている実施形態が有利である。この場合、ケースは、取り付け個所の形状に適合可能であるように曲げ弾性があるのが好ましい。これにより、クロージャーが足を点状に押すのが避けられるので、さらに快適な履き心地が得られる。
【００１２】
好ましくは、ケースが縦長であり、それぞれ１つの靴紐端部のための２つの開口部がケースの下面に配置されているのがよい。この場合、省スペースの実施態様が得られる。ケースの下面に開口部が形成されているため、両靴紐端部がそれぞれ鳩目から突出しているような個所においてクロージャーが靴に設置されるので、靴紐端部は鳩目以降は完全に覆われた状態で靴紐クロージャーの中で延在する。
【００１３】
特に合目的なのは、靴紐端部をチャンバー内へ挿入させるための前記開口部が隙間の間にあるような実施態様である。このような実施態様では、靴紐はたとえば互いに引き離すだけで好適に引き締めることができ、滑りぬけないよう固定することができる。
【００１４】
できるだけ利用者にやさしいように靴紐を詰め込むことができるように、すなわち迅速且つ簡単に靴紐を詰め込むことができるようにするため、靴紐の緩んでいる端部を細条部のまわりに巻付け可能である。このため、隙間は、その拡張領域において、本来の締め付け固定のために必要なよりもいくぶん長く且つ大きく形成されている。
【００１５】
他の有利な実施形態では、ケースに突起が形成され、該突起の後方に靴紐端部を固定可能である。これにより靴紐端部がカバーの閉鎖を阻害することがない。
有利な実施形態では、カバーとケースとの間には、着脱可能なケースクロージャーが設けられている。
【００１６】
着脱可能なクロージャーにより、ケースを搬送中に確実に閉鎖させることができる。クロージャーとは、たとえば通常のロック機構であり、或いは、マジッククテープ（商品名）、ジッパー、マグネチックロック、スナップボタンファスナーである。
【図面の簡単な説明】
【００１７】
【図１】靴紐クロージャーの実施形態を上から見た等尺図である。
【図２】図１の靴紐クロージャーのケース底部を示す図である。
【図３】図１の靴紐クロージャーを斜め下から見た等尺図である。
【図４】図１ないし図３のクロージャーの側面図である。
【図５】図４のクロージャーの開口状態の側面図である。
【図６】図１のクロージャーの開口状態の正面図である。
【図７】図６のクロージャーを閉鎖状態で示した図である。
【図８】クロージャーを閉鎖状態で示した平面図である。
【図９】図７および図８のクロージャーの背面図である。
【図１０】クロージャーを開口状態で示した平面図である。
【図１１】図１ないし図１０のクロージャーの縦断面図である。
【図１２】図１１の縦断面展開図である。
【図１３】図１２の展開図の等尺図である。
【図１４】１４ａないし１４ｈは、図１ないし図１３のクロージャーを使用する場合の個々のステップの順序を説明する図である。
【発明を実施するための形態】
【００１８】
図１ないし図１４には、他の実施形態として、靴の靴紐を締め付け固定するためのクロージャー３１０が図示されている。
クロージャー３１０は、靴紐の端部を収容するためのケース３１２を有している。ケース３１２は、靴の甲領域に取り付けるために、その下面が凹状に成形されており、取り付け部位の形状に適合可能なような曲げ弾性がある。
【００１９】
縦長のケース３１２は底板３１４を有し、底板３１４で、チャンバーを閉鎖させるカバー３１６が回動可能に保持されている。閉鎖状態でカバー３１６を一時的に固定するため、カバー３１６とケース３１２との間には着脱可能なケースクロージャー３１８が設けられ、該ケースクロージャー３１８に対し回動可能にカバー３１６が底板３１４で保持されている（図５および図６をも参照）。ケースクロージャー３１８は、ボタン３１９を押すことで解除されるロック機構を備えている。
【００２０】
ケース３１２は下面に２つの開口部３２０，３２２を有し、該開口部を通じて靴紐をチャンバー内へ挿入する。チャンバーの内部には、底板３１４にクランプ装置３２４が設けられ、該クランプ装置３２４を用いて靴紐が固定される。この場合、クランプ装置３２４はケース３１２に対し不動に保持されている。クランプ装置３２４は、それぞれの靴紐のために、片側が開口した隙間３２６，３２８を有し、隙間３２６，３２８は、靴紐を締め付け固定するため、前記挿入用開口部から前記隙間のほうへ先細りになっている。隙間３２６，３２８は、それぞれ、ケース３１２からチャンバー内部のなかへ突出している細条部３３０，３３２と、ケース底部に設けた繰り抜き部の縁との間に形成されている。この場合、両開口部３２０，３２２は互いに整列している（互いに離間しあうように図示した）隙間の間に配置されている。細条部３３０，３３２は横断面にてたとえばＴ字状であり、先細りになっている隙間３２６，３２８は、ケース底部から外側へ離間している異形側面によって生じたものである。
【００２１】
細条部３３０，３３２は、その長さに関し、靴紐の緩んでいる領域を、隙間３２６，３２８の外側領域において細条部３３０，３３２のまわりに巻きつけることができるように選定されている。靴紐端部をより好適に詰め込むことができるように、ケースクロージャー３１８は突起３３４として構成され、該突起３３４の後方へ靴紐端部を移動させることができ、その結果靴紐端部は、カバー３１６を閉じたときに側方へ突出しない。
【００２２】
カバー３１６の上面には装飾クリップ３３６のみが設けられ、装飾クリップ３３６上には、装飾要素以外に企業ロゴ、広告等を取り付けることができる。装飾クリップ３３６はカバー３１６上に嵌着され、小さなロック突起によってカバー３１６で保持される（図１１ないし図１３をも参照）。
【００２３】
図１４ａないし図１４ｈには、図１ないし図１３に記載の靴紐クロージャー３１０の使用態様が、スポーズシューズとの関連で図示されている。なお、靴紐クロージャー３１０はもちろん他の種類の靴にも使用できる。まず、靴紐クロージャー３１０を、押しボタン３１９を押すことで開く。次に、靴紐を、ケース３１２の下面に設けた穴３２０，３２２を通じて下側から挿入する。なお穴３２０，３２２は、図示した実施形態の場合、細条部３３０，３３２の間に配置されているのではなく、隙間の挿入用開口部の側方にして細条部３３０，３３２の後方に配置されている。次に、靴紐クロージャー３１０を靴上の中央部に位置決めし、その結果穴３２０，３２２は、靴の、靴紐が靴の鳩目から出ている箇所の、上方に位置することになる。次に、靴紐を必要に応じて引き締める。このため、まず靴紐を靴に対しわずかな間隔で且つわずかな角度で十字に交差させて外側上方へ引張る。このとき靴紐は細条部３３０，３３２の後方において隙間３２６，３２８内で締め付けられる（図１４ｃのステップａを参照）。この場合、締め付け作用は、第１に、先細りになっている隙間３２６または３２８によって行なわれるが、補助的に、十字に交差している靴紐によっても達成される。
【００２４】
先細りになっている隙間３２６，３２８とは択一的に、均一な幅で開口している隙間でもよい。この場合の締め付け作用は、多重に十字交差している靴紐だけで達成される。しかしこの場合、細条部に巻きつける際に靴紐の緊張度をより長く維持せねばならない。
【００２５】
所望の強度を得るため、すなわち靴を足で所望の保持力で保持する場合、図１４ｃによれば、靴紐をそれぞれ小さな円運動で下から上へ向けて、突出している細条部３３０，３３２のまわりに巻きつける。このため、次に靴紐を上方へ引張ることによって靴紐を堅く締め付ける（図１４ｄのステップｂを参照）。
【００２６】
その後、図１４ｅに示したように、両靴紐の、残っている自由な領域、すなわち緩んでいる領域を、細条部３３０，３３２の自由端のまわりに交互に巻きつける。カバー３１６を閉じたときに靴紐端部が底板３１４とカバー３１６との間で固着されないようにするため、靴紐端部を軽く押して、突起として形成されているケースクロージャー３１８の下へ滑り込ませる。このためには、靴紐端部がプラスチックスリーブまたは金属スリーブを備えている（図１４ｆ）ような靴紐端部が特に適している。最後にカバーを閉じる。この場合、カバー３１６はクロージャー機構をロックすることによって確実に保持される。開くにはクロージャーボタン３１９を押してカバー３１６を開く。この場合、回動可能な結合には閉じた状態でプレストレスがかけられていることにより、簡単に開くことができる。カバーが閉じている場合、靴紐クロージャー３１０の上面に装飾クリップを良好に視認でき、たとえば企業ロゴ或いは他の広告要素の取り付けに利用することができる（図１４ｈを参照）。
【手続補正２】
【補正対象書類名】特許請求の範囲
【補正対象項目名】全文
【補正方法】変更
【補正の内容】
【特許請求の範囲】
【請求項１】
靴の靴紐を固定締め付けするためのクロージャーであって、靴紐の端部を受容するためのチャンバーを形成しているケース（３１２）を備え、靴紐が少なくとも１つの開口部（３２０，３２２）を通じて前記チャンバー内に挿入可能であり、前記チャンバーを閉鎖させるカバー（３１６）が設けられ、該カバー（３１６）が、靴紐を操作可能な開口位置と、前記チャンバーがその中にある靴紐端部によって閉鎖される閉鎖位置との間で移動可能である前記クロージャーにおいて、
引き締めた靴紐を保持する、靴紐のためのクランプ機構が設けられ、クランプ機構が前記チャンバー内にそれぞれ１つの隙間（３２６，３２８）によって形成され、該隙間は一端のほうへ先細りになっており、その結果靴紐を先細り領域で締め付け可能であり、隙間（３２６，３２８）がその先細り領域によって互いに対向しあい、且つ隙間（３２６，３２８）が、それぞれ、ケース（３１２）から内側へ突出している細条部（３３０，３３２）とケース底部とによって形成されていることを特徴とするクロージャー。
【請求項２】
カバー（３１６）がケース（３１２）に回動可能に固定されていることを特徴とする、請求項１に記載のクロージャー。
【請求項３】
ケース（３１２）が、その下面を凹状に成形され、好ましくは、取り付け位置の形状に適合可能であるように曲げ弾性があることを特徴とする、請求項１または２に記載のクロージャー。
【請求項４】
ケース（３１２）が縦長であり、それぞれ１つの靴紐端部のための２つの開口部（３２０，３２２）がケースの下面に配置されていることを特徴とする、請求項１から３までのいずれか一つに記載のクロージャー。
【請求項５】
前記開口部（３２０，３２２）が隙間（３２６，３２８）の間にあることを特徴とする、請求項４に記載のクロージャー。
【請求項６】
靴紐の緩んでいる端部を細条部（３３０，３３２）のまわりに巻付け可能であることを特徴とする、請求項１から５までのいずれか一つに記載のクロージャー。
【請求項７】
ケース（３１２）に突起（３３４）が形成され、該突起の後方に靴紐端部を固定可能であることを特徴とする、請求項１から６までのいずれか一つに記載のクロージャー。
【請求項８】
カバー（３１６）とケース（３１２）との間に、着脱可能なケースクロージャー（３１８）が設けられていることを特徴とする、請求項１から７までのいずれか一つに記載のクロージャー。
【手続補正３】
【補正対象書類名】図面
【補正対象項目名】全図
【補正方法】変更
【補正の内容】
【図１】
2009544343.tif 000034
【図２】
2009544343.tif 000035
【図３】
2009544343.tif 000036
【図４】
2009544343.tif 000037
【図５】
2009544343.tif 000038
【図６】
2009544343.tif 000039
【図７】
2009544343.tif 000040
【図８】
2009544343.tif 000041
【図９】
2009544343.tif 000042
【図１０】
2009544343.tif 000043
【図１１】
2009544343.tif 000044
【図１２】
2009544343.tif 000045
【図１３】
2009544343.tif 000046
【図１４】
2009544343.tif 000047
【国際調査報告】
2009544343.tif 000048
2009544343.tif 000049
2009544343.tif 000050
2009544343.tif 000051
2009544343.tif 000052